(57)【要約】【課題】ハンドノズル及び人体洗浄装置の操作性を向上させる。【解決手段】洗浄水を吐水する吐水口が配置され、前記吐水口からの吐水と止水とを切り替える操作部を有する本体部と、前記本体部に対して可動に連結された握り部と、を備え、前記握り部を把持しつつ、前記握り部に対して前記本体部を動かすことにより、前記吐水口から吐水される洗浄水の吐水方向及び吐水位置の少なくともいずれか一方を変えられることを特徴とするハンドノズルが提供される。【選択図】図３
2010189955.tif 000002
【特許請求の範囲】
【請求項１】
洗浄水を吐水する吐水口が配置され、前記吐水口からの吐水と止水とを切り替える操作部を有する本体部と、
前記本体部に対して可動に連結された握り部と、
を備え、
前記握り部を把持しつつ、前記握り部に対して前記本体部を動かすことにより、前記吐水口から吐水される洗浄水の吐水方向及び吐水位置の少なくともいずれか一方を変えられることを特徴とするハンドノズル。
【請求項２】
前記握り部に対する前記吐水口の位置が、前記本体部又は前記握り部の長手軸方向に沿って可変とされたことを特徴とする請求項１に記載のハンドノズル。
【請求項３】
前記本体部は、その長手軸方向に延在する回転軸を中心に回動可能とされたことを特徴とする請求項１または２に記載のハンドノズル。
【請求項４】
前記本体部は、前記吐水口からの吐水方向に対して略垂直な面内において、前記握り部と前記本体部との連結部を中心として首振り動作可能とされたことを特徴とする請求項１〜３のいずれか１つに記載のハンドノズル。
【請求項５】
請求項１〜４のいずれか１つに記載のハンドノズルと、
洗浄水を加熱する熱交換器と、
前記熱交換器により加熱された洗浄水を前記ハンドノズルに導水するホースと、
を備えたことを特徴とする人体洗浄装置。
【発明の詳細な説明】
【技術分野】
【０００１】
本発明は、ハンドノズル及び人体洗浄装置に関し、被介護者の人体を洗浄するハンドノズル及び人体洗浄装置に関する。
【背景技術】
【０００２】
例えば、洋式腰掛便器に腰掛けた被介護者の「おしり」などを水で洗浄する場合には、温水洗浄便座装置の吐水ノズルを便器内に進出させ、便座に座った被介護者の「おしり」などに向けて水を噴射させる。そうすると、被介護者の局部を洗浄することができる。
【０００３】
しかしながら、排泄の際に、汚物が広い範囲に亘って付着すると、人体局部の洗浄を主な目的とした温水洗浄便座装置の吐水ノズルでは、十分に汚れを落とすことができない場合がある。これは、例えば、臀部（肛門周辺）の筋肉が弱く、その部分の肉が垂れ下がっている高齢者などが排泄を行った場合、あるいは被介護者が、失禁などのように、おむつを含む衣類を着衣した状態で排泄行為を行った場合などが挙げられる。あるいは、被介護者の着座位置がずれている場合にも、温水洗浄便座装置の吐水ノズルでは、十分に汚れを落とすことができない場合がある。
【０００４】
そこで、臀部や陰部の広い範囲を洗浄するために、例えば介護者などが容器を押すことにより洗浄水を任意の位置に吐水できるボトル式の洗浄容器がある。また、臀部や陰部の広い範囲を洗浄可能な局部洗浄装置が提案されている（例えば、特許文献１参照）。
【０００５】
しかしながら、特許文献１に記載された局部洗浄装置に取り付けられた手持ち用ノズルは、単に棒状であり、その操作性が悪いという問題が生じている。
【０００６】
例えば、被介護者が手持ち用ノズルを自ら使用したり、介護者が被介護者に対して使用したりするいずれの場合も、被介護者が着座状態では見えない部分を洗浄するために、見えない部分にまでノズルの吐水口を人体下部へ挿入して洗浄動作を行う必要がある。
【０００７】
手持ち用ノズルは任意方向に向けて洗浄を行えるメリットがあるものの、吐水方向がどの向きになっているのかが分り難いデメリットがある。被介護者の臀部の全体を洗浄しようとした場合には、使用者の手または手首を動かしながら洗浄を行う必要があり、その際、被介護者の足間に使用者の手が触れたり、洗浄装置の後方などの狭い作業スペースにおいて、使用者の手が被介護者の人体や便座に触れたりして、その操作性が悪いという問題があった。
【先行技術文献】
【特許文献】
【０００８】
【特許文献１】特開昭５８−１８１９３４号公報（図２）
【発明の概要】
【発明が解決しようとする課題】
【０００９】
本発明の課題は、上記問題点を解決することであり、操作性のよいハンドノズル及び人体洗浄装置を提供するものである。
【課題を解決するための手段】
【００１０】
本発明の一態様によれば、洗浄水を吐水する吐水口が配置され、前記吐水口からの吐水と止水とを切り替える操作部を有する本体部と、前記本体部に対して可動に連結された握り部と、を備え、前記握り部を把持しつつ、前記握り部に対して前記本体部を動かすことにより、前記吐水口から吐水される洗浄水の吐水方向及び吐水位置の少なくともいずれか一方を変えられることを特徴とするハンドノズルが提供される。
【発明の効果】
【００１１】
本発明の態様によれば、ハンドノズル及び人体洗浄装置の操作性が向上する。
【図面の簡単な説明】
【００１２】
【図１】本発明の実施の形態にかかる人体洗浄装置を備えたトイレ装置を例示する斜視模式図である。
【図２】トイレ装置に取り付けられたハンドノズルを表す斜視模式図である。
【図３】ハンドノズルの第１の機能を説明するための模式図である。
【図４】ハンドノズルのストローク動作の操作を説明するための模式図である。
【図５】第１の機能を有したハンドノズルの変形例を説明するための側部断面模式図である。
【図６】ハンドノズルの第２の機能を説明するための模式図である。
【図７】ハンドノズルのロール動作の操作を説明するための模式図である。
【図８】ハンドノズルの第３の機能を説明するための模式図である。
【図９】ハンドノズルのヨー動作の操作を説明するための模式図である。
【図１０】第３の機能を有したハンドノズルの変形例を説明するための模式図である。
【図１１】第１〜第３の機能を複合させたハンドノズルの模式図である。
【図１２】第１〜第３の機能を複合させたハンドノズルの模式図である。
【図１３】第１〜第３の機能を複合させたハンドノズルの模式図である。
【図１４】ハンドノズルの操作部の斜視模式図である。
【図１５】ハンドノズルの操作部の斜視模式図である。
【図１６】本実施形態のハンドノズルが収納部に収納された状態を表す断面模式図である。
【図１７】本実施形態にかかる人体洗浄装置の構成を例示するブロック図である。
【発明を実施するための形態】
【００１３】
第１の発明として、洗浄水を吐水する吐水口が配置され、前記吐水口からの吐水と止水とを切り替える操作部を有する本体部と、前記本体部に対して可動に連結された握り部と、を備え、前記握り部を把持しつつ、前記握り部に対して前記本体部を動かすことにより、前記吐水口から吐水される洗浄水の吐水方向及び吐水位置の少なくともいずれか一方を変えられることを特徴とするハンドノズルが提供される。  
このような発明によれば、洗浄部位に対する握り部の相対位置及び方向を変化させることなく、吐水口から吐水される洗浄水の吐水方向および吐水位置の少なくともいずれかを変化させることが出来るため、操作性が向上する。
【００１４】
また、第２の発明では、前記握り部に対する吐水口の位置が、前記本体部又は前記握り部の長手軸方向に沿って可変とされたことを特徴とする。  
このような発明によれば、洗浄部位に対する握り部の相対位置及び方向を変化させることなく、吐水口から吐水される洗浄水の吐水位置を、本体部の長手軸方向に沿って変化させることが出来るため、操作性が向上する。
【００１５】
また、第３の発明では、前記本体部は、その長手軸方向に延在する回転軸を中心に回動可能とされたことを特徴とする。  
このような発明によれば、洗浄部位に対する握り部の相対位置及び方向を変化させることなく、吐水口から吐水される洗浄水の吐水方向を、本体部の長手軸方向に延在する回転軸を中心に回動させることが出来るため、操作性が向上する。
【００１６】
また、第４の発明では、前記本体部は、前記吐水口からの吐水方向に対して略垂直な面内において、前記握り部と前記本体部との連結部を中心として首振り動作可能とされたことを特徴とする。  
このような発明によれば、洗浄部位に対する握り部の相対位置及び方向を変化させることなく、吐水口から吐水される洗浄水の吐水方向を、首振り動作により左右に変化させることが出来るため、操作性が向上する。
【００１７】
また、第５の発明によれば、上記第１〜第４のいずれかのハンドノズルと、洗浄水を加熱する熱交換器と、前記熱交換器により加熱された洗浄水を前記ハンドノズルに導水するホースと、を備えたことを特徴とする人体洗浄装置が提供される。  
このような発明によれば、洗浄部位に対するハンドノズルの握り部の相対位置及び方向を変化させることなく、適切な洗浄部位に対し適切な温度の洗浄水を吐出することが出来る。
【００１８】
以下、本発明の実施の形態について図面を参照しつつ説明する。なお、各図面中、同様の構成要素には同一の符号を付して詳細な説明は適宜省略する。  
図１は、本発明の実施の形態にかかる人体洗浄装置を備えたトイレ装置を例示する斜視模式図である。また、図２は、トイレ装置に取り付けられたハンドノズルを表す斜視模式図である。
【００１９】
図１に表したトイレ装置は、洋式腰掛け便器（以下、説明の便宜上、単に「便器」と称する）５００と、その上に設けられた人体洗浄装置１００と、便蓋３００と、便座４００と、を備える。便蓋３００および便座４００は、例えば人体洗浄装置１００に対して開閉自在に軸支されている。また、便器５００の洗浄機構としては、いわゆる「ロータンク式」でもよく、あるいはロータンクを用いない「水道直圧式」であってもよい。なお、便座４００としては、所謂Ｏ型のものを例示しているが、Ｕ型であってもよい。
【００２０】
本実施形態にかかる人体洗浄装置１００は、水の温度を調節する熱交換器（温度調節器）１１０と、熱交換器１１０からの水を導水するホース１２０と、ホース１２０の一端に取り付けられたハンドノズル１０と、ハンドノズル１０を収納する収納部１６０と、を有する。熱交換器１１０は、人体洗浄装置１００のケーシング１０１内に設けられたタンクと、その中に貯留された水を加熱する図示しないヒータと、を有する。そして、熱交換器１１０により加熱された洗浄水は、ホース１２０を介してハンドノズル１０に供給される。
【００２１】
なお、本発明は、タンクに貯留された水をヒータで加熱する、いわゆる「貯湯式」の熱交換器１１０を有するものには限定されない。例えば、供給された水を瞬間的に温めて送出する、いわゆる「瞬間式」の熱交換器１１０を有するものも、本発明の範囲に包含される。また、本願明細書において「水」という場合には、加熱されたお湯も含むものとする。
【００２２】
また、本実施形態にかかる人体洗浄装置１００は、便座４００への被介護者の着座を検知する着座センサ１７０と、トイレ室への被介護者の入室を検知する入室検知センサ１８０と、制御部１５０と、をさらに有する。着座センサ１７０および入室検知センサ１８０としては、例えば、焦電センサや、測距センサなどの赤外線投光式のセンサ、超音波センサ、またはドップラーセンサなどのマイクロ波センサなどを用いることができる。なお、焦電センサは、被介護者の接近を迅速に検知できる点で入室検知センサ１８０により適している。そして、着座センサ１７０は、便座４００への被介護者の着座を検知すると、制御部１５０に検知信号を送信できる。これと同様に、入室検知センサ１８０は、トイレ室への被介護者の入室を検知すると、制御部１５０に検知信号を送信できる。
【００２３】
また、図２に示すハンドノズル１０は、主に、本体部２０２と、本体部２０２に連結された握り部２００とを有している。また、本体部２０２は、把持部１３７、太幅部１３４及びノズル先端部２０１とを含む構成となっている。そして、操作部１３１を操作することにより、ノズル先端部２０１に設けられた吐水口１３５から洗浄水が吐水される。
【００２４】
具体的には、本体部２０２の内部に開閉弁（図２では不図示）を内蔵し、当該開閉弁により、洗浄水の吐水および止水が切り替えられる。さらに、ハンドノズル１０は、開閉弁１３９を開閉させる操作部１３１と、吐水部１３６とを有している。ここで、操作部１３１は、ハンドノズル１０の把持部１３７に設けられている。また、吐水部１３６には、洗浄水を吐水可能な吐水口１３５が設けられている。、ハンドノズル１０において、吐水口１３５は操作部１３１が配置されているハンドノズル１０と同じ側に配置されている。すなわち、操作部１３１のレバー主面に対して垂直に上がる方向を上方とすると、吐水口１３５も前記上方を向いてハンドノズル１０に配置されている。
【００２５】
また、ハンドノズル１０は、ホース１２０と把持部１３７との間に、握り部（グリップ部）２００を連結している。そして、ハンドノズル１０においては、把持部１３７に太幅部（支持部）１３４を接続させて、さらに太幅部（支持部）１３４にノズル先端部２０１を接続させている。そして、ノズル先端部２０１に、上述した吐水口１３５を設けている。
【００２６】
また、操作部１３１は、軸１３２において回動自在に軸支されており、その裏面側には開閉スイッチ１３３が設けられている。開閉スイッチ１３３は、図示しないばね等により矢印Ａとは反対方向に付勢されている。これと同様に、操作部１３１は開閉スイッチ１３３により矢印Ａとは反対方向に付勢されている。
【００２７】
例えば、介護者などが操作部１３１を矢印Ａの方向に押すと、開閉スイッチ１３３は操作部１３１により矢印Ａの方向に押される。そうすると、ハンドノズル１０内に設けられた開閉弁１３９が開放され、洗浄水が吐水口１３５から噴射される。  
一方、介護者などが操作部１３１から手を離すと、操作部１３１および開閉スイッチ１３３は、矢印Ａとは反対方向に付勢されているため、矢印Ａとは反対方向に押し上げられる。そうすると、開閉弁１３９は閉止され、吐水口１３５からの洗浄水の噴射は停止される。このように、ハンドノズル１０の把持部１３７には、吐水口１３５からの吐水または止水を切り替える切替手段が設けられている。  
あるいは、開閉弁１３９は、制御部１５０からの制御信号により適宜開閉することも可能である。
【００２８】
なお、ハンドノズル１０では、把持部１３７、太幅部１３４及びノズル先端部２０１とを含めた部位を本体部２０２とする。従って、図２から分かるように、本体部２０２と握り部２００とは直列状に連結している。  
また、ノズル先端部２０１と太幅部１３４とは、一体の構造であってもよく、ノズル先端部２０１が太幅部１３４に着脱可能な構造であってもよい。  
一体構造とした場合は、部品点数及び組み立て工数の低減により、少ないコストで製作することが出るという利点を有する。  
一方、ノズル先端部２０１が着脱可能な別部品とした場合は、汚水を浴びやすいノズル先端部２０１を取り外しての洗浄作業を容易に行うことが出来るほか、定期的に交換して清浄な状態を保つことができるという利点を有する。
【００２９】
続いて、ハンドノズル１０の機能について詳細に説明する。ハンドノズル１０では、握り部２００を固定しつつ、本体部２０２を動作することにより、吐水口１３５から吐水される洗浄水の方向先を変えられることを特徴としている。
【００３０】
図３は、ハンドノズルの第１の機能を説明するための模式図である。図３では、ハンドノズルの側部模式図が示されている。  
第１の機能では、ハンドノズルが伸縮することにより、握り部２００に対する吐水口の位置が、前記本体部又は前記握り部の長手軸方向に沿って可変とされたことを特徴としている。  
ハンドノズル１０ａは、握り部２００の洗浄部位に対する位置を変化させること無く、その長手方向（ハンドノズル１０ａの中心軸Ｃの軸方向）に伸縮する機能を有している。
【００３１】
具体的には、握り部２００の洗浄部位に対する位置を変化させること無く、本体部２０２を握り部２００から離したり（図３（ａ）参照）、再度、本体部２０２を握り部２００側に戻したりすることができる（図３（ｂ）参照）。また、このような伸縮運動をストローク動作と呼称する。
【００３２】
図示するように、把持部１３７は、握り部２００側に内パイプ１３７ｐを延出している。また、内パイプ１３７ｐの外径を握り部２００の内径よりも小さくしている。そして、内パイプ１３７ｐと握り部２００とを互いに勘合させている。
【００３３】
このような構造であれば、内パイプ１３７ｐを握り部２００内でスライドさせることにより、テレスコープ式に本体部２０２を握り部２００から離したり、一旦離した本体部２０２を再び握り部２００に戻したりすることができる。この際、ハンドノズル１０ａ全体が延びる最大の長さは、内パイプ１３７ｐの長さ分になる。そして、洗浄水は、ホース１２０から供給されて握り部２００内を通過し、続いて把持部１３７内を通過し、さらに、ノズル先端部２０１内を通過して吐水口１３５から放出される。  
なお、内パイプ１３７ｐと握り部２００との界面には、例えば、Ｏリング等のパッキンを挟持して、洗浄水の水密性を向上させてもよい。
【００３４】
次に、ハンドノズル１０ａのストローク動作の操作方法について説明する。  
図４は、ハンドノズルのストローク動作の操作を説明するための模式図である。  
ハンドノズル１０ａのストローク動作をするときには、図示するように、手で握り部２００を握り、把持部１３７の裏側に、例えば親指以外の指を添える。そして、親指を操作部１３１上に載置した後、当該操作部１３１を介して親指で本体部２０２全体を押したり（図４（ａ）参照）、引いたりする（図４（ｂ）参照）。
【００３５】
このような操作によって、本体部２０２を握り部２００から離したり、一旦離した本体部２０２を再び握り部２００側に戻したりすることができる。すなわち、ストローク動作が可能になる。そして、このストローク動作においては、洗浄部位に対する握り部２００の相対位置が変わることがなく、操作者の手が便器内へ進出してしまうことや、被介護者の足などに触れることが防止出来る。
【００３６】
また、この動作に追従して、吐水口１３５の位置を、握り部２００から離したり、近づけたりすることができる。すなわち、握り手の位置を変えないで、親指のみの操作を施すことにより、本体部２０２に配置された吐水口１３５の位置を握り部２００から離したり、近づけたりすることができる。
【００３７】
また、ハンドノズル１０ａでは、ノズル先端部２０１の中心軸から見た操作部１３１が取り付けられている方向、及び、同じくノズル先端部の中心軸から見た吐水口１３５が設けられている方向が、同一方向となっている。従って、当該操作部１３１の位置から、吐水口１３５の位置を直感的に察知することができる。すなわち、吐水口１３５が被介護者の臀部下に隠れても、吐水口１３５の位置を直感的に判断することができる。
【００３８】
また、ハンドノズル１０ａでは、洗浄中において、親指のみの操作を施すことにより、吐水口１３５の位置を自由に変えることができる。すなわち、握り手の位置を変えないで、洗浄水の吐水先をストローク動作の範囲内において自由に設定できる。
【００３９】
従って、便座４００に着座している被介護者の臀部を洗浄する場合には、介護者などの握り手を被介護者の臀部の下まで挿入させる必要がない。すなわち、介護者などの握り手を着座した被介護者の手前に位置させるだけで、上述したストローク動作を施すことにより、被介護者の臀部の手前から奥までを満遍なく洗浄することができる。  
なお、伸縮量については、被介護者の体の大きさ等に合わせて適宜調節すればよい。
【００４０】
また、ハンドノズル１０ａでは、操作部１３１が被介護者の臀部の下に隠れず、常に操作容易な位置にある。これにより、その操作性が向上する。例えば、吐水と止水の繰り返し操作を遅延なく行うことができる。
【００４１】
ところで、上述した機能を備えていないハンドノズルを用いて、手首により強制的にハンドノズルを前後に移動させると、移動距離が定まらないために、臀部のうち洗浄対象ではない部分に洗浄水が飛着してしまう場合や、人体を外れて便器外へ水が飛散する場合がある。また、洗浄水が便座４００と便器５００の間から飛出する場合もある。これにより、洗浄水が無駄になってしまうと同時に、周囲への水の飛散による清掃作業の負荷も問題となる。  
然るに、ハンドノズル１０ａを用いれば、伸縮量が定まっているので、不要な部分の方向に洗浄水が噴出することはない。
【００４２】
図５は、第１の機能を有したハンドノズルの変形例を説明するための側部断面模式図である。  
ハンドノズル１０ａａは、握り部２００の位置が固定した状態で、本体部２０２を握り部２００から離したり、再度、本体部２０２を握り部２００側に戻したりする機能を有している。  
また、把持部１３７は、握り部２００側に内パイプ１３７ｐを延出している。また、内パイプ１３７ｐの外径を握り部２００の内径よりも小さくしている。そして、内パイプ１３７ｐと握り部２００とを互いに勘合させている。  
そして、ハンドノズル１０ａａの内部においては、握り部２００内の開口２００ｈと把持部１３７内の開口１３７ｈとをフレキシブルなパイプ２０により連通している。
【００４３】
このような構造であれば、内パイプ１３７ｐを握り部２００内でスライドさせることにより、テレスコープ式に本体部２０２を握り部２００から離したり（図５（ａ）参照）、一旦離した本体部２０２を再び握り部２００に戻したりすることができる（図５（ｂ）参照）。そして、ハンドノズル１０ａａ全体が延びる最大の長さは、内パイプ１３７ｐの長さ分になる。従って、パイプ２０の長さは、開口２００ｈと開口１３７ｈとが離れる最大の距離以上とすればよい。
【００４４】
このような長さであれば、開口２００ｈと開口１３７ｈとが最大の距離で離れても、パイプ２０の端が開口２００ｈあるいは開口１３７ｈから外れることはない。また、図示するようにパイプ２０は蛇行状にハンドノズル１０ａａ内に設置されているために、パイプ２０は高い柔軟性を有している。そして、洗浄水は、ホース１２０から供給されて、握り部２００内を通過し、続いてパイプ２０内を通過し、さらに、ノズル先端部２０１内を通って吐水口１３５から放出される。  
このような構造のハンドノズル１０ａａであっても、上述したハンドノズル１０ａと同様の効果を得る。なお、パイプ２０の表面は、図示するように滑らかな面でもよく、蛇腹状であってもよい。
【００４５】
図６は、ハンドノズルの第２の機能を説明するための模式図である。図６では、ハンドノズルの側部模式図が示されている。  
第２の機能では、本体部２０２が、その長手軸方向に延在する回転軸を中心に回動可能とされたことを特徴としている。  
ハンドノズル１０ｂは、握り部２００の洗浄部位に対する位置を変化させること無く、本体部２０２をハンドノズル１０ｂの中心軸Ｃを中心に回動する機能を有している。
【００４６】
具体的には、握り部２００側をハンドノズル１０ｂの手前とすると、ハンドノズル１０ｂは、握り部２００の洗浄部位に対する位置を変化させること無く、本体部２０２がその中心軸を中心に握り部２００に対し右に回転したり（図６（ａ）参照）、あるいは左に回転したり（図６（ｂ）参照）する回動機能を有している。また、このような回動運動をロール動作と呼称する。
【００４７】
図示するように、把持部１３７は、握り部２００側に内パイプ１３７ｐを延出している。また、内パイプ１３７ｐの外径を握り部２００の内径よりも小さくしている。そして、内パイプ１３７ｐと握り部２００とを互いに勘合させている。
【００４８】
このような構造であれば、内パイプ１３７ｐを握り部２００内で回動させることにより、本体部２０２を握り部２００に対し、回動することができる。  
なお、内パイプ１３７ｐと握り部２００との界面には、例えば、Ｏリング等のパッキンを挟持して、洗浄水の水密性を向上させてもよい。
【００４９】
次に、ハンドノズル１０ｂのロール動作の操作方法について説明する。  
図７は、ハンドノズルのロール動作の操作を説明するための模式図である。  
ハンドノズル１０ｂのロール動作をするときには、図示するように、手で握り部２００を握り、把持部１３７の裏側に、例えば親指以外の指を添える（図７（ａ）参照）。そして、親指を操作部１３１上に載置した後、当該操作部１３１を介して親指で本体部２０２全体を左に回転させたり（図７（ｂ）参照）、本体部２０２全体を右に回転させたりする（図７（ｃ）参照）。ここで、握り部２００側をハンドノズル１０ｂの手前としている。
【００５０】
このような操作によって、本体部２０２を握り部２００に対して回動することができる。すなわち、ロール動作が可能になる。そして、このロール動作においては、洗浄部位に対する握り部２００の相対位置が変わることがない。
【００５１】
また、この動作に追従して、吐水口１３５の位置を、握り部２００に対して回動することができる。すなわち、握り手の位置を変えないで、親指のみの操作を施すことにより、本体部２０２に配置された吐水口１３５の位置を握り部２００に対して回動することができる。
【００５２】
また、ハンドノズル１０ｂでは、ノズル先端部２０１の中心軸から見た操作部１３１が取り付けられている方向、及び、同じくノズル先端部の中心軸から見た吐水口１３５が設けられている方向が、同一方向となっている。従って、操作部１３１の位置から、吐水口１３５の位置を直感的に察知することができる。すなわち、吐水口１３５が被介護者の臀部下に隠れても、吐水口１３５の位置を直感的に判断することができる。
【００５３】
また、ハンドノズル１０ｂでは、洗浄中においては、親指のみの操作を施すことにより、吐水口１３５の位置を自由に回動できる。すなわち、握り手の位置を変えないで、洗浄水の吐水先をロール動作範囲内において自由に設定できる。
【００５４】
従って、便座４００に着座している被介護者の臀部を洗浄する場合には、介護者などの握り手を被介護者の臀部の下まで挿入させる必要がない。すなわち、介護者などの握り手を着座した被介護者の手前に位置させるだけで、上述したロール動作を施すことにより、被介護者の臀部の右から左までを満遍なく洗浄することができる。  
なお、回動角については、被介護者の体の大きさ等に合わせて適宜調節すればよい。
【００５５】
また、ハンドノズル１０ｂでは、ハンドノズル１０ｂの操作部１３１が被介護者の臀部の下に隠れず、常に操作容易な位置にある。これにより、操作部１３１の操作性が向上する。例えば、吐水と止水の繰り返し操作を遅延なく行うことができる。
【００５６】
ところで、上述した機能を備えていないハンドノズルを用いて、手首により強制的にハンドノズルを回動させると、回動角が定まらないために、洗浄対象でない臀部に洗浄水が飛着してしまう場合がある。また、洗浄水が便座４００と便器５００の間から飛出する場合もある。これにより、洗浄水が無駄になってしまうと同時に、周囲への水の飛散による清掃作業の負荷も問題となる。  
しかし、ハンドノズル１０ｂを用いれば、回動角が定まっているので、不要な部分の方向に洗浄水が噴出することはない。
【００５７】
図８は、ハンドノズルの第３の機能を説明するための模式図である。ここで、図８（ａ）では、ハンドノズルの側部模式図が示され、図８（ｂ）及び図８（ｃ）では、ハンドノズルの上部模式図が示されている。特に、図８（ｃ）では、ハンドノズルの第３の機能の動作を説明するための模式図が示されている。
【００５８】
第３の機能では、本体部２０２は、吐水口１３５からの吐水方向（図８（ａ）に矢印で表した）に対して略垂直な面内において、握り部２００と本体部２０２との連結部を中心として首振り動作可能とされている。すなわち、握り部２００の定点を中心に、本体部２０２が首振り動作することを特徴としている。  
ハンドノズル１０ｃは、握り部２００の位置が固定した状態で、その本体部２０２が首振り動作する機能を有している。  
具体的には、握り部２００をハンドノズル１０ｃの手前とすると、ハンドノズル１０ｃは、握り部２００の位置が固定した状態で、本体部２０２が握り部２００に対し右側に振れたり、左側に振れたりする首振り機能を有している（図８（ｃ）参照）。このような首振り動作をヨー動作と呼称する。
【００５９】
図８（ａ）及び図８（ｂ）に示すように、把持部１３７は、握り部２００側に内パイプ１３７ｐを延出している。また、内パイプ１３７ｐの外径は握り部２００の内径よりも小さい。また、握り部２００は、把持部１３７側に、上下に対向する支持部２００ａ，２００ｂを延出している。そして、支持部２００ａ，２００ｂが内パイプ１３７ｐを挟持し、内パイプ１３７ｐが支持部２００ａ，２００ｂにより首振り自在に軸支されている。  
また、ハンドノズル１０ｃでは、内パイプ１３７ｐを軸支している部分より先端側に操作部１３１が位置している。
【００６０】
図９は、ハンドノズルのヨー動作の操作を説明するための模式図である。  
ハンドノズル１０ｃのヨー動作をするときには、図示するように、手で握り部２００を握り、把持部１３７の裏側に、例えば親指以外の指を添える。そして、親指を操作部１３１上に載置した後、当該操作部１３１を介して親指で本体部２０２全体を左に振ったり（図９（ａ）参照）、本体部２０２全体を右に振ったりする（図９（ｂ）参照）。ここで、握り部２００側をハンドノズル１０ｃの手前側としている。
【００６１】
このような操作によって、内パイプ１３７ｐを軸支している部分を定点として、本体部２０２を握り部２００に対して振ることができる。すなわち、ヨー動作が可能になる。そして、このヨー動作においては、洗浄部位に対する握り部２００の相対位置が変わることがない。
【００６２】
また、この動作に追従して、吐水口１３５の位置を、握り部２００に対して振ることができる。すなわち、握り手の位置を変えないで、親指のみの操作を施すことにより、本体部２０２に配置された吐水口１３５の位置を握り部２００に対して振ることができる。
【００６３】
また、ハンドノズル１０ｃでは、ノズル先端部２０１の中心軸から見た操作部１３１が取り付けられている方向、及び、同じくノズル先端部の中心軸から見た吐水口１３５が設けられている方向が、同一方向となっている。従って、操作部１３１の位置から、吐水口１３５の位置を直感的に察知することができる。すなわち、吐水口１３５が被介護者の臀部下に隠れても、吐水口１３５の位置を直感的に判断することができる。
【００６４】
また、洗浄中においては、親指のみの操作を施すことにより、吐水口１３５の位置を自由に振ることができることから、握り手の位置を変えないで、洗浄水の吐水先をヨー動作範囲内において自由に設定できる。
【００６５】
従って、便座４００に着座している被介護者の臀部を洗浄する場合には、介護者などの握り手を被介護者の臀部の下まで挿入させる必要がない。すなわち、介護者などの握り手は着座した被介護者の手前に位置させて、上述したヨー動作を施すことにより、被介護者の臀部の右から左までを満遍なく洗浄することができる。  
なお、首振り角については、被介護者の体の大きさ等に合わせて適宜調節すればよい。
【００６６】
また、ハンドノズル１０ｃでは、ハンドノズル１０ｃの操作部１３１が被介護者の臀部の下に隠れず、常に操作容易な位置にある。これにより、操作部１３１の操作性が向上する。例えば、吐水と止水の繰り返し操作を遅延なく行うことができる。
【００６７】
ところで、上述した機能を備えていないハンドノズルを用いて、手首により強制的にハンドノズルにヨー動作を施すと、首振り角が定まらないために、臀部のうち洗浄対象ではない部分に洗浄水が飛着してしまう場合がある。また、洗浄水が便座４００と便器５００の間から飛出する場合もある。これにより、洗浄水が無駄になってしまうと同時に、周囲への水の飛散による清掃作業の負荷も問題となる。  
然るに、ハンドノズル１０ｃを用いれば、首振り角が定まっているので、不要な部分の方向に洗浄水が噴出することはない。
【００６８】
図１０は、第３の機能を有したハンドノズルの変形例を説明するための模式図である。ここで、図１０（ａ）では、ハンドノズルの側部模式図が示され、図１０（ｂ）及び図１０（ｃ）では、ハンドノズルの上部模式図が示されている。特に、図１０（ｃ）では、ハンドノズルの第３の機能の動作を説明するための模式図が示されている。
【００６９】
ハンドノズル１０ｃａは、握り部２００の洗浄部位に対する位置を変化させること無く、その本体部２０２が首振り動作する機能を有している。  
具体的には、握り部２００をハンドノズル１０ｃａの手前とすると、握り部２００の洗浄部位に対する位置を変化させること無く、本体部２０２が握り部２００に対し、右側に振れたり、左側に振れたりする首振り機能を有している（図１０（ｃ）参照）。
【００７０】
図１０（ａ）及び図１０（ｂ）に示すように、握り部２００は、把持部１３７側に内パイプ２００ｐを延出している。また、内パイプ２００ｐの外径は把持部１３７の内径よりも小さい。また、把持部１３７は、握り部２００側に、上下に対向する支持部１３７ａ，１３７ｂを延出している。そして、支持部１３７ａ，１３７ｂが内パイプ２００ｐを挟持し、内パイプ２００ｐが支持部１３７ａ，１３７ｂにより軸支されている。また、ハンドノズル１０ｃａでは、内パイプ２００ｐを軸支している部分より手前側（握り部２００側）に操作部１３１が延出している。
【００７１】
そして、図１０（ｃ）に示すように、握り部２００の洗浄部位に対する位置を変化させること無く、本体部２０２を握り部２００に対し、右側に振ったり、左側に振ったりすることができる。ここで、握り部２００をハンドノズル１０ｃａの手前としている。
【００７２】
なお、ハンドノズル１０ｃａでは、操作部１３１が握り部２００上にまで延出していることから、握り部２００を右側に振ったときに本体部２０２が左に振られ、握り部２００を左側に振ったときに本体部２０２が右に振られる。  
このような構造のハンドノズル１０ｃａであっても、上述したハンドノズル１０ｃと同様の効果を得る。
【００７３】
なお、上述した第１〜第３の機能は、それぞれが独立した機能ではなく、少なくとも２つの機能を複合させた構造であってもよい。  
例えば、第１〜第３の機能をすべて兼ね備えたハンドノズルについて説明する。
【００７４】
図１１〜図１３には、第１〜第３の機能を複合させたハンドノズルの模式図が示されている。
ハンドノズル１０ｄは、上述したハンドノズル１０ａ，１０ａａ，１０ｂ，１０ｃ，１０ｃａとは別に、パイプ状の中間部材３０を本体部２０２と握り部２００との間に備えている。
図１１に示すように、ハンドノズル１０ｄは、握り部２００の位置が固定した状態で、その長手方向（ハンドノズル１０ｄの中心軸Ｃの軸方向）に伸縮する機能を有している。
【００７５】
具体的には、握り部２００の位置が固定した状態で、本体部２０２及び中間部材３０を握り部２００から離したり（図１１（ａ）参照）、再度、本体部２０２及び中間部材３０を握り部２００側に戻したりする機能を有している（図１１（ｂ）参照）。
【００７６】
ここで、中間部材３０は、握り部２００側に内パイプ３０ｐａを延出している。また、内パイプ３０ｐａの外径を握り部２００の内径よりも小さくしている。そして、内パイプ３０ｐａと握り部２００とを互いに勘合させている。
【００７７】
このような構造であれば、内パイプ３０ｐａを握り部２００内でスライドさせることにより、テレスコープ式に本体部２０２及び中間部材３０を握り部２００から離したり、本体部２０２及び中間部材３０を再び握り部２００に戻したりすることができる。なお、ハンドノズル１０ｄ全体が延びる最大の長さは、内パイプ３０ｐａの長さ分になる。  
このように、ハンドノズル１０ｄは、ストローク動作機能を備えている。
【００７８】
また、ハンドノズル１０ｄにおいては、図１２に示すように、握り部２００の位置が固定した状態で、本体部２０２及び中間部材３０をハンドノズル１０ｄの中心軸Ｃを中心に回動させることができる。  
具体的には、握り部２００の位置が固定した状態で、本体部２０２及び中間部材３０を握り部２００に対し右に回転させたり（図１２（ａ）参照）、あるいは左に回転させたり（図１２（ｂ）参照）することができる。ここで、握り部２００側をハンドノズル１０ｄの手前側としている。  
このように、ハンドノズル１０ｄは、ロール動作機能を備えている。
【００７９】
さらに、ハンドノズル１０ｄは、図１１に示すように、中間部材３０において、把持部１３７側に内パイプ３０ｐｂを延出している。また、内パイプ３０ｐｂの外径は把持部１３７の内径よりも小さい。また、把持部１３７においては、中間部材３０側に、上下に対向する支持部１３７ａ，１３７ｂを延出している。そして、支持部１３７ａ，１３７ｂが内パイプ３０ｐｂを挟持し、内パイプ３０ｐｂが支持部１３７ａ，１３７ｂにより軸支されている。
【００８０】
そして、図１３に示すように、握り部２００の位置が固定した状態で、本体部２０２を握り部２００及び中間部材３０に対し、左側に振ったり（図１３（ａ）参照）、右側に振ったり（図１３（ｂ）参照）することができる。  
このように、ハンドノズル１０ｄは、ヨー動作機能を備えている。
【００８１】
以上説明したように、ハンドノズル１０ｄは、上述したストローク動作機能、ロール動作機能、ヨー動作機能のすべてを兼ね備えている。そして、このようなハンドノズル１０ｄは、上述した第１〜第３の機能を有するハンドノズルの効果をすべて有している。  
なお、上述した親指による操作を補助するために、操作部１３１には、指先を掛止するための凹部を設けてもよい。その構造を、図１４に示す。
【００８２】
図１４は、ハンドノズルの操作部の斜視模式図である。  
図示するように、操作部１３１のレバー主面には、指先を掛止するための凹部１３１ｈが設けられている。また、操作部１３１とは反対側のハンドノズルの本体部２０２にも凹部２０２ｈを設けてもよい。  
このような構造であれば、上述したストローク動作、ロール動作、ヨー動作を実施するときに、指が操作部１３１に引っかかり易くなり、指による操作がし易い。従って、操作性がさらに向上する。
【００８３】
なお、凹部１３１ｈ内には、ゴムラバー等のストッパ用シートを配置してもよい。  
また、上述した親指による操作を補助する別の例として、開閉スイッチ１３３の両側に、指先を掛止するための突起部１３３ｔを設けてもよい。その構造を、図１５に示す。
【００８４】
図１５は、ハンドノズルの操作部の斜視模式図である。  
図示するように、開閉スイッチ１３３の両側には、指先を掛止するための突起部１３３ｔが設けられている。このような構造であれば、上述したストローク動作、ロール動作、ヨー動作を実施するときに、指が開閉スイッチ１３３に引っかかり易くなり、指の操作がし易い。従って、操作性がさらに向上する。  
なお、本実施の形態では、操作部１３１上に載置する指として、親指を用いた例を示したが、操作部１３１上に載置する指は、親指以外の指であってもかまわない。
【００８５】
次に、人体洗浄装置１００の他の部材について補説する。  
図１に示す収納部１６０は、その上面に設けられた開口部１６１と、その内部に設けられた収納孔１６３と、ハンドノズル１０の吐水口１３５からの水を外部へ排出する排水路１６５と、を有する。ハンドノズル１０は、使用されていないときには、その収納部１６０に収納されている。より具体的には、ハンドノズル１０の少なくとも一部は、開口部１６１から挿入され、収納部１６０の内部、すなわち収納孔１６３に収納されている。なお、収納部１６０は、便器５００に付設されていてもよいし、あるいは便器５００に付設されていなくともよい。
【００８６】
ホース１２０は、その一端においてハンドノズル１０に接続され、その他端においてケーシング１０１に接続されている。また、ホース１２０は、図１に表したように、所定の長さを有するため、介護者などはハンドノズル１０の把持部１３７を手で持ちつつ、少なくとも吐水口１３５の部分を便座４００に座った被介護者の臀部や陰部近傍に移動させることができる。そして、介護者などは、ハンドノズル１０の把持部１３７を手で持ち、操作部１３１を矢印Ａの方向に押しつつ、便座４００に座った被介護者の臀部や陰部の任意の位置にハンドノズル１０を移動させて吐水させることにより、臀部や陰部の広い範囲を洗浄できる。また、前述したように、熱交換器１１０はヒータを有するため、本実施形態にかかる人体洗浄装置１００は、加熱された洗浄水を吐水できる。
【００８７】
ここで、ハンドノズル１０の吐水口１３５は、便器５００の内部に挿入された状態で局部に洗浄水を噴射するため、吐水部１３６あるいはその近傍には汚水や汚物が付着するおそれがある。ハンドノズル１０に汚水や汚物が付着したまま収納部１６０に収納され放置されると、汚水や汚物が固着するため衛生上好ましくない。これに対して、本実施形態にかかる人体洗浄装置は、収納部１６０に収納された状態のハンドノズル１０の少なくとも吐水部１３６を洗浄できる。ハンドノズル１０の使用後には、そのハンドノズル１０は、ほぼ必ず収納部１６０に収納される。そのため、本実施形態にかかる人体洗浄装置は、収納部１６０においてハンドノズル１０を洗浄することにより、そのハンドノズル１０を清潔な状態に確保することができる。以下、収納部１６０に収納された状態のハンドノズル１０を洗浄する動作について、図面を参照しつつ説明する。
【００８８】
図１６は、本実施形態のハンドノズルが収納部に収納された状態を表す断面模式図である。  
本実施形態のハンドノズル１０は、図２に表したように、吐水部１３６よりも幅が大きい太幅部（支持部）１３４を有する。太幅部１３４は、吐水口１３５よりもホース１２０側に設けられ、吐水口１３５側からホース１２０側に向かうにつれて幅が大きくなるように形成されている。
【００８９】
一方、収納部１６０の開口部１６１の開口面積は、ハンドノズル１０の吐水部１３６の最外形よりも大きく、太幅部１３４の少なくとも一部の外形よりも小さい。そのため、ハンドノズル１０をその先端１３８側から開口部１６１に挿入し、収納部１６０に収納すると、図１６に表したように、太幅部１３４の少なくとも一部は収納部１６０の開口部１６１に引っ掛かる。その結果、ハンドノズル１０は、これよりも収納部１６０の内部には進入できない。
【００９０】
収納部１６０の内部、すなわち収納孔１６３の高さＨは、ハンドノズル１０が収納された状態、すなわち太幅部１３４が開口部１６１に引っ掛かった状態において、収納部１６０の内部に進入したハンドノズル１０の部分の長さよりも大きい。つまり、収納部１６０の収納孔１６３の高さＨは、太幅部１３４が開口部１６１に支持された状態において、ハンドノズル１０の先端１３８が収納孔１６３の底面１６２に当接しないように適宜設定されている。
【００９１】
そして、収納部１６０に設けられた図示しない赤外線投光式センサやリミットスイッチなどと呼ばれる開閉式スイッチが、収納部１６０に収納されたハンドノズル１０を検知すると、制御部１５０はハンドノズル１０内に設けられた開閉弁１３９を開放し吐水口１３５から洗浄水を吐水させる。そうすると、吐水口１３５から吐水された洗浄水６１０は、図１６に表したように、収納孔１６３に一時貯留される。つまり、吐水口１３５から吐水された洗浄水６１０が、収納孔１６３に一時貯留されるように、排水路１６５の形状が適宜設定されている。
【００９２】
洗浄水６１０が収納孔１６３に一時貯留されると、図１６に表したように、ハンドノズル１０の吐水部１３６は、洗浄水６１０に浸される。そうすると、ハンドノズル１０の吐水部１３６は、洗浄水６１０により洗浄される。
【００９３】
このとき、ハンドノズル１０の先端１３８は、収納孔１６３の底面１６２には当接していないため、収納孔１６３に一時貯留された洗浄水６１０は、滞留することなく排水路１６５から便器５００内に排出される。つまり、ハンドノズル１０の先端１３８は、収納孔１６３の底面１６２から離間しているため、収納孔１６３に一時貯留された洗浄水６１０は、円滑に流れ排水路１６５から便器５００内に排出される。なお、排水路１６５から流出した洗浄水６１０は、必ずしも便器５００内に排出されなくともよく、例えば排水路１６５の先端あるいは先端近傍に設けられた図示しない受け皿などの容器に排出されてもよい。
【００９４】
そのため、洗浄水６１０により洗い落とされた汚水や汚物が、ハンドノズル１０の吐水部１３６あるいはその近傍により進路を遮られるおそれは少なく、再び吐水口１３５の部分に付着するおそれは少ない。また、収納孔１６３に一時貯留された洗浄水６１０は、ハンドノズル１０の先端１３８と、収納孔１６３の底面１６２と、の間を円滑に流れるため、洗浄性を向上させることができる。これにより、本実施形態にかかる人体洗浄装置１００は、ハンドノズル１０の清潔な状態を確保することができる。
【００９５】
なお、赤外線投光式センサや開閉式スイッチの検知結果に基づいて、吐水口１３５から洗浄水６１０を吐水する場合を例に挙げて説明したが、これだけに限定されるわけではない。例えば、介護者などがハンドノズル１０を収納した後に、介護者自身が操作部１３１を操作して吐水口１３５から洗浄水６１０を吐水させてもよい。あるいは、介護者などが、図示しないリモコンに設けられた洗浄スイッチを操作することにより、制御部１５０が開閉弁１３９を開放し、吐水口１３５から洗浄水６１０を吐水させてもよい。
【００９６】
一方、吐水口１３５からの洗浄水６１０を止水する場合には、制御部１５０のタイマ制御機能を利用できる。制御部１５０は、タイマ制御機能を有し、開閉弁１３９を開放させてから所定時間が経過すると、開閉弁１３９を閉止できる。そうすると、開閉弁１３９を開放させてから所定時間が経過した後に、吐水口１３５からの洗浄水６１０を止水することができる。
【００９７】
あるいは、収納孔１６３に一時貯留された洗浄水６１０の透明度を検知する濁度センサなどの検知結果に基づいて、吐水口１３５から洗浄水６１０を止水させてもよい。ハンドノズル１０に付着した汚水や汚物が洗浄水６１０により洗い落とされると、収納孔１６３に一時貯留された洗浄水６１０の透明度は低下するが、洗浄水６１０が排水路１６５から排出されるにつれて上昇する。そして、図示しない濁度センサが、洗浄水６１０の透明度が所定値以上に達したことを検知すると、制御部１５０は開閉弁１３９を閉止して吐水口１３５からの洗浄水６１０を止水することができる。
【００９８】
また、ハンドノズル１０の太幅部１３４は、吐水口１３５側からホース１２０側に向かうにつれて幅が大きくなるように形成されているが、これだけに限定されるわけではない。ハンドノズル１０は、その先端１３８が収納孔１６３の底面１６２から離間できるように、収納部１６０に支持され得る形状を有していればよい。
【００９９】
次に、本実施形態にかかる人体洗浄装置１００の構成の具体例について、図面を参照しつつ説明する。  
図１７は、本実施形態にかかる人体洗浄装置の構成を例示するブロック図である。
【０１００】
本実施形態にかかる人体洗浄装置１００では、まず、給水源としての水道から継手１０３を介して、水が給水弁１９０に供給される。給水弁１９０は、熱交換器１１０よりも上流側に設けられ、制御部１５０からの制御信号に応じて開閉できる。給水弁１９０が開放されている場合には、熱交換器のタンクに水が供給され、給水弁１９０が閉止されている場合には、熱交換器のタンクへの水の供給は停止される。
【０１０１】
続いて、水道からの水が給水弁１９０を介して熱交換器１１０に供給されると、熱交換器１１０に貯留され加熱されていた洗浄水は、継手１０５を介してホース１２０に供給される。続いて、ホース１２０に供給された水は、ハンドノズル１０内の開閉弁１３９に供給される。開閉弁１３９が開放されている場合には、吐水口１３５から洗浄水６１０が吐水され、開閉弁１３９が閉止されている場合には、吐水口１３５からの洗浄水６１０は止水される。
【０１０２】
そして、開閉弁１３９が開放され、吐水口１３５から洗浄水６１０が吐水されると、その洗浄水６１０は、収納孔１６３に一時貯留される。このとき、ハンドノズル１０の先端１３８は、収納孔１６３の底面１６２には当接していないため、収納孔１６３に一時貯留された洗浄水６１０は、滞留することなく排水路１６５から便器５００内に排出される。つまり、ハンドノズル１０の先端１３８は、収納孔１６３の底面１６２から離間しているため、収納孔１６３に一時貯留された洗浄水６１０は、円滑に流れ排水路１６５から便器５００内に排出される。そのため、ハンドノズル１０の清潔な状態を確保することができる。
【０１０３】
なお、本具体例では、水道の圧力を利用して熱交換器１１０に水を供給する場合を例に挙げて説明したが、これだけに限定されず、ポンプを設けてもよい。これによれば、水道の圧力だけではなく、ポンプによって与えられた圧力を利用して熱交換器１１０に水を供給することができる。
【０１０４】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、ハンドノズル１０などが備える各要素の形状、寸法、材質、配置などや収納部１６０の設置形態などは、例示したものに限定されるわけではなく適宜変更することができる。  
また、ハンドノズル１０を収納部１６０に収納すると、操作部１３１は、開閉弁１３９を閉止させる状態から開放させる状態へと遷移されてもよい。これによれば、ハンドノズル１０が収納部１６０に収納された状態では、開閉弁１３９は常に開放されることになるため、制御部１５０は、開閉弁１３９を制御しなくとも、給水弁１９０を制御するだけで、吐水口１３５から洗浄水６１０を収納孔１６３内に供給できる。
【０１０５】
また、前述した各実施の形態が備える各要素は、技術的に可能な限りにおいて組み合わせることができ、これらを組み合わせたものも本発明の特徴を含む限り本発明の範囲に包含される。
【符号の説明】
【０１０６】
１０，１０ａ，１０ａａ，１０ｂ，１０ｃ，１０ｃａ，１０ｄ  ハンドノズル
２０  パイプ
３０  中間部材
３０ｐａ，３０ｐｂ  内パイプ
１００  人体洗浄装置
１０１  ケーシング
１０３，１０５  継手
１１０  熱交換器
１２０  ホース
１３０  ハンドノズル
１３１  操作部
１３１ｈ，２０２ｈ  凹部
１３２  軸
１３３  開閉スイッチ
１３３ｔ  突起部
１３４  太幅部
１３５  吐水口
１３６  吐水部
１３７  把持部
１３７ａ，１３７ｂ，２００ａ，２００ｂ  支持部
１３７ｈ，２００ｈ  開口
１３７ｐ，２００ｐ  内パイプ
１３８  先端
１３９  開閉弁
１５０  制御部
１６０  収納部
１６１  開口部
１６２  底面
１６３  収納孔
１６５  排水路
１７０  着座センサ
１８０  入室検知センサ
１９０  給水弁
２００  握り部    
２０１  ノズル先端部
２０２  本体部
３００  便蓋
４００  便座
５００  便器
６１０  洗浄水
Ｃ   中心軸
【図１】
2010189955.tif 000003
【図２】
2010189955.tif 000004
【図３】
2010189955.tif 000005
【図４】
2010189955.tif 000006
【図５】
2010189955.tif 000007
【図６】
2010189955.tif 000008
【図７】
2010189955.tif 000009
【図８】
2010189955.tif 000010
【図９】
2010189955.tif 000011
【図１０】
2010189955.tif 000012
【図１１】
2010189955.tif 000013
【図１２】
2010189955.tif 000014
【図１３】
2010189955.tif 000015
【図１４】
2010189955.tif 000016
【図１５】
2010189955.tif 000017
【図１６】
2010189955.tif 000018
【図１７】
2010189955.tif 000019